(57)【特許請求の範囲】
【請求項１】
抵抗発熱体を内蔵させたヒータ本体と、該ヒータ本体のリード線と結線させて先端にプラグを配設させたリード線を有した電源コードと、を備えて構成されるペット用ヒータであって、
前記ヒータ本体と前記電源コードとの相互の前記リード線の接続部位に、前記ヒータ本体に結合される本体側ソケットと、前記電源コードに結合されて前記本体側ソケットと電気的に接続可能なコード側ソケットと、からなって、それぞれ対応する前記リード線に結線される雌型端子と該雌型端子に挿入されて結合可能な雄型端子とを備えて構成されるコネクタが配設され、
前記電源コードが、前記コネクタを利用して、前記ヒータ本体に対して、着脱可能に接続されている構成として、
前記コネクタが、前記雌型端子と前記雄型端子とをそれぞれ柔軟性を有した材料からなる防水カバーで覆って、前記本体側・コード側ソケットの相互の接続時に防水型として構成可能に、
前記雌型端子を覆う前記防水カバーが、リード線側を気密性を有して被覆するとともに先端を前記雌型端子から突出させて円筒状に開口させて構成されるとともに、前記雄型端子を覆う防水カバーが、リード線側から前記雄型端子の元部側にかけて気密性を有して被覆して構成されて、前記雄型端子を前記雌型端子に挿入させて端子相互を結合させる際、前記雌型端子を覆う防水カバーの内周に前記雄型端子を覆う防水カバーが嵌合されて防水性が確保されるように、構成され、
さらに、前記コネクタが、前記ヒータ本体に取外し可能に取り付けられる剛性を有したコネクタカバーに覆われていることを特徴とするペット用ヒータ。
【請求項２】
前記本体側ソケットを前記電源コード側に配置させ、前記コード側ソケットを前記ヒータ本体側に配置させるように、前記コネクタを収納凹部に収納するとともに、前記コネクタの収納部位の周囲における前記ヒータ本体側の部位を巻くように、前記電源コードから延びて前記コード側ソケットに結線されるリード線を配置させることを特徴とする請求項１に記載のペット用ヒータ。
【発明の詳細な説明】
【０００１】
【発明の属する技術分野】
本発明は、猫や犬等のペットに使用するペット用ヒータに関する。
【０００２】
【従来の技術とその課題】
従来、ペット用ヒータは、シーズヒータ等の抵抗発熱体を内蔵させたパネル状のヒータ本体と、ヒータ本体と結線されて先端にプラグを配設させた電源コードと、を備えて構成されていた。
【０００３】
そして、電源コードのプラグを所定のコンセントに差し込めば、抵抗発熱体が発熱して、ペットを暖めることができた。
【０００４】
しかし、従来のペット用ヒータは、電源コードが、ヒータ本体の抵抗発熱体に直接結線される構造であった。
【０００５】
そのため、ペットが、電源コードを咬んで損傷させてしまえば、ヒータ本体が損傷していなくとも、ペット用ヒータ全体を交換して使用しなければならず、無駄が生じていた。
【０００６】
特に、猫や犬は、じゃれて電源コードを咬むことから、電源コードの損傷が頻繁に生じ易く、問題となっていた。
【０００７】
本発明は、上述の課題を解決するものであり、電源コードが損傷しても、容易に電源コードを交換することができるペット用ヒータを提供することを目的とする。
【０００８】
【課題を解決するための手段】
本発明に係るペット用ヒータは、抵抗発熱体を内蔵させたヒータ本体と、該ヒータ本体のリード線と結線させて先端にプラグを配設させたリード線を有した電源コードと、を備えて構成されるペット用ヒータであって、
前記ヒータ本体と前記電源コードとの相互の前記リード線の接続部位に、前記ヒータ本体に結合される本体側ソケットと、前記電源コードに結合されて前記本体側ソケットと電気的に接続可能なコード側ソケットと、からなって、それぞれ対応する前記リード線に結線される雌型端子と該雌型端子に挿入されて結合可能な雄型端子とを備えて構成されるコネクタが配設され、
前記電源コードが、前記コネクタを利用して、前記ヒータ本体に対して、着脱可能に接続されている構成として、
前記コネクタが、前記雌型端子と前記雄型端子とをそれぞれ柔軟性を有した材料からなる防水カバーで覆って、前記本体側・コード側ソケットの相互の接続時に防水型として構成可能に、
前記雌型端子を覆う前記防水カバーが、リード線側を気密性を有して被覆するとともに先端を前記雌型端子から突出させて円筒状に開口させて構成されるとともに、前記雄型端子を覆う防水カバーが、リード線側から前記雄型端子の元部側にかけて気密性を有して被覆して構成されて、前記雄型端子を前記雌型端子に挿入させて端子相互を結合させる際、前記雌型端子を覆う防水カバーの内周に前記雄型端子を覆う防水カバーが嵌合されて防水性が確保されるように、構成され、
さらに、前記コネクタが、前記ヒータ本体に取外し可能に取り付けられる剛性を有したコネクタカバーに覆われていることを特徴とする。
【００１１】
さらにまた、前記本体側ソケットを前記電源コード側に配置させ、前記コード側ソケットを前記ヒータ本体側に配置させるように、前記コネクタを収納凹部に収納するとともに、前記コネクタの収納部位の周囲における前記ヒータ本体側の部位を巻くように、前記電源コードから延びて前記コード側ソケットに結線されるリード線を配置させることが望ましい。
【００１２】
【発明の効果】
本発明に係るペット用ヒータでは、ヒータ本体と電源コードとの接続部位に、ヒータ本体に結合される本体側ソケットと、電源コードに結合されて本体側ソケットと電気的に接続可能なコード側ソケットと、からなるコネクタが配設されて、電源コードが、コネクタを利用して、ヒータ本体に対して、着脱可能に接続されている。
【００１３】
そのため、電源コードが損傷しても、コード側ソケットを本体側ソケットから抜き、新たな電源コードのコード側ソケットを本体側ソケットに差し込めば、簡単に、電源コードを交換することができる。
【００１４】
そして、コネクタを、本体側・コード側ソケットの相互の接続時に、各々の端子を防水カバーで覆い可能な防水型とすれば、漏電を招くことなく、電源コードを接続させた状態でヒータ本体を水洗いすることができ、ヒータ本体が汚れても容易に対処することができる。勿論、ペットが、ヒータ本体付近で、小便をしたり、飲料水等をこぼしても、漏電することなく、ペット用ヒータを安全に使用することができる。
【００１５】
さらに、コネクタを、ヒータ本体に取外し可能に取り付けられて剛性を有したコネクタカバーで覆うように構成しておけば、コネクタ部位の損傷も防止することができる。なお、電源コードの交換は、コネクタカバーをヒータ本体から取り外し、コネクタを露出させて行なうこととなる。
【００１６】
さらにまた、請求項２に記載するように構成する場合には、電源コードを強い力で引っ張っても、コネクタが収納凹部に収納されて回転せず、電源コードのリード線が、リード線を巻くように配置させた部位と干渉し、不用意に、コード側ソケットが本体側ソケットから抜けることを防止することができる。
【００１７】
【発明の実施の形態】
以下、本発明の一実施形態を図面に基づいて説明する。
【００１８】
実施形態のペット用ヒータ１は、図１〜３に示すように、長方形のパネル状のヒータ本体２と、ヒータ本体２と結線されて先端にプラグ１４を配設させた電源コード１０と、を備えて構成されている。ヒータ本体２は、内部にサーモスタットを備えたシーズヒータを埋設させており、通電時、上面側の表面温度を３８℃程度に加熱できるように構成されている。電源コード１０は、プラグ１４から延びる２本のリード線１２・１３（図２参照）が被覆層１１で覆われるとともに、被覆層１１のヒータ本体２側が、可撓性を有した硬質塩化ビニル等の合成樹脂製のチューブ状のコードカバー１５で覆われている。
【００１９】
ヒータ本体２と電源コード１０との接続部位には、上・下カバー６・７からなるコネクタカバー５に覆われて２組のコネクタ２０・２０が配設されている。コネクタ２０は、ヒータ本体２と電源コード１０との２本ずつのリード線３・４・１２・１３に対応して、２組使用されている。
【００２０】
なお、各リード線３・４は、金属製の素線が絶縁材料からなる被覆層を被覆されて構成されている。
【００２１】
また、コネクタ２０の部位では、実施形態の場合、各リード線３・４が、ヒータ本体２側から電源コード１０付近まで延びて反転し、各リード線１２・１３がコードカバー１５から各リード線３・４の突出付近まで延びて反転し、それぞれの後述するソケット２１・２４に結線されている。このように各コネクタ２０を反転させて使用する理由は、電源コード１０が強い力で引っ張られても、コネクタ２０を回転させないように後述する収納凹部７ｅに収納させた状態として、リード線１２・１３を後述する縦壁７ｆの端部７ｇに干渉させて、不用意に、ソケット２４がソケット２１から抜けないようにするためである。
【００２２】
各コネクタ２０は、図２・８・９に示すように、ヒータ本体２側に結合される本体側ソケット２１と、電源コード１０側に結合されて本体側ソケット２１と電気的に接続可能なコード側ソケット２４と、から構成されている。本体側ソケット２１は、ヒータ本体２側のリード線３・４の素線とそれぞれ結線される雌側端子２２と、端子２２を覆う防水カバー２３と、から構成されている。コード側ソケット２４は、電源コード１０側のリード線１２・１３の素線とそれぞれ結線されて、雌側端子２２に挿入させて結合可能な雄側端子２５と、端子２５を覆う防水カバー２６と、を備えて構成されている。
【００２３】
防水カバー２３・２６は、結合時の端子２２・２５の防水性を確保するために配設されるもので、軟質塩化ビニル等の柔軟性を有した材料から形成されている。防水カバー２３は、リード線３・４側を気密性を有して被覆するとともに、先端を端子２２から突出させて円筒状に開口させており、その内周面に周方向の全周にわたる突条２３ａが形成されて構成されている。防水カバー２６は、リード線１２・１３側から端子２５の元部側にかけて気密性を有して被覆し、外周面に周方向の全周にわたる突条２６ａが形成されて構成されている。
【００２４】
そして、各コネクタ２０は、雄側端子２５を雌側端子２２に挿入させた際、防水カバー２３の内周に防水カバー２６が嵌合され、相互の突条２３ａ・２６ａが相手側の周面に圧接されることにより、端子２２・２５相互の防水性が確保されることとなる。
【００２５】
カバー５の上・下カバー６・７は、剛性を有したポリプロピレン等の硬質合成樹脂から形成され、４組のビス８・ナット９を利用して、一体化されている。
【００２６】
下カバー７は、図２〜５に示すように、ビス８を挿通させるための２つずつの取付孔７ａ・７ｂを備えるとともに、ヒータ本体２のリード線３・４を挿通させる導入凹部７ｃと、電源コード１０側のリード線１２・１３を挿通させる導入凹部７ｄと、を備えて構成されている。さらに、下カバー７は、両側に、ヒータ本体２と電源コード１０とを結ぶ方向に略沿うように延びる縦壁７ｆ・７ｆを立設させて、コネクタ２０を嵌めて収納させる収納凹部７ｅを、２つ備えて構成されている。
【００２７】
なお、各取付孔７ａ・７ａは、ヒータ本体２の周縁に配置された取付孔２ａ・２ａに対応して配置され、各取付孔７ｂは、周縁に円筒状のボス（図符号省略）を突設させて配置されている。
【００２８】
また、各収納凹部７ｅの内側の縦壁７ｆにおけるヒータ本体２側の端部７ｇには、電源コード１０が強く引っ張られた際の縦壁７ｆとの干渉時を考慮して、リード線１２・１３の損傷を防止するために、弧面が形成されている。
【００２９】
さらに、ヒータ本体２は、リード線３・４を突出させる部位を除いて、４辺の縁をポリプロピレン等の補強用桟２ｂで覆われて構成されており、各補強用桟２ｂは、４隅を留め具２ｃで取り付け固定されるとともに、リード線３・４を突出される部位では、上・下カバー６・７で挟持されてヒータ本体２に取り付け固定されている。
【００３０】
上カバー６は、下カバー７の各取付孔７ａ・７ｂに対応した２つずつの取付孔６ａ・６ｂを備えるとともに、ヒータ本体２のリード線３・４を挿通させる導入凹部６ｃと、電源コード１０側のリード線１２・１３を挿通させる導入凹部６ｄと、を備えて構成されている。各導入凹部６ｃ・６ｄは、上・下カバー６・７が一体化された際、対応する導入凹部７ｃ・７ｄとともに、略円形の開口を形成するように構成されている。さらに、各取付孔６ａ・６ａは、ヒータ本体２の周縁に配置された取付孔２ａ・２ａに対応して配置され、各取付孔６ｂは、周縁に円筒状のボス（図符号省略）を突設させて配置されている。
【００３１】
そして、これらの上・下カバー６・７の組み付けは、まず、下カバー７の各収納凹部７ｅにコネクタ２０を嵌めて収納した状態で、ヒータ本体２の下面側から下カバー７の取付孔７ａ・７ａをヒータ本体２の取付孔２ａ・２ａに一致させて、各リード線３・４を導入凹部７ｃ内に入れるとともに、各リード線１２・１３を導入凹部７ｄ内に入れる。ついで、ヒータ本体２の上面側から上カバー６の各取付孔６ａをヒータ本体２の取付孔２ａ・２ａに一致させるとともに、各導入凹部６ｃ・６ｄを導入凹部７ｃ・７ｄに一致させて、上カバー６を下カバー７に被せる。そして、各取付孔６ａ・２ａ・７ａと各取付孔６ｂ・７ｂとにそれぞれビス８を挿入してナット９止めすれば、上・下カバー６・７を一体化させて、ヒータ本体２に取り付けることができる。
【００３２】
実施形態のペット用ヒータ１では、使用時、プラグ１４を所定のコンセントに差し込めば、ヒータ本体２に内蔵したシーズヒータが発熱することから、猫等のペットを暖めることができる。
【００３３】
そして、コードカバー１５や被覆層１１を咬んで、電源コード１０のリード線１２・１３が損傷した場合には、電源コード１０を交換する。この交換作業は、まず、各ナット９をビス８から外して、上カバー６を下カバー７から取り外す。ついで、各コネクタ２０を下カバー７の収納凹部７ｅから外して、リード線３・４側を保持するとともに、コード側ソケット２４の各リード線１２・１３を引っ張れば、各雄側端子２５が雌側端子２２から引き抜かれることから、ヒータ本体２対する電源コード１０の結合を解除することができる。
【００３４】
その後、新たな電源コード１０の雄側端子２５を雌側端子２２に挿入させて、各コード側ソケット２４を本体側ソケット２１に結合させる。ついで、下カバー７の各収納凹部７ｅに各コネクタ２０を収納し、既述したように、ヒータ本体２の下面側から下カバー７の取付孔７ａ・７ａをヒータ本体２の取付孔２ａ・２ａに一致させて、各リード線３・４を導入凹部７ｃ内に入れるとともに、各リード線１２・１３を導入凹部７ｄ内に入れる。さらに、ヒータ本体２の上面側から上カバー６の各取付孔６ａをヒータ本体２の取付孔２ａ・２ａに一致させるとともに、各導入凹部６ｃ・６ｄを導入凹部７ｃ・７ｄに一致させて、上カバー６を下カバー７に被せる。さらに、各取付孔６ａ・２ａ・７ａと各取付孔６ｂ・７ｂとにそれぞれビス８を挿入してナット９止めすれば、上・下カバー６・７を一体化させてヒータ本体２に取り付けることができて、電源コード１０の交換作業を終了させることができる。
【００３５】
したがって、実施形態のペット用ヒータ１では、電源コード１０が損傷しても、カバー５（上カバー６）をヒータ本体２から取り外して、コード側ソケット２４を本体側ソケット２１から抜き、新たな電源コード１０のコード側ソケット２４を本体側ソケット２１に差し込み、そして、カバー５を取り付ければ、簡単に、電源コード１０の交換作業を行なうことができる。
【００３６】
ちなみに、電源コード１０は、ソケット２４を含めても、ヒータ本体２の１０分の１程度の金額であり、電源コード１０の損傷に対して、従来のヒータ全体を交換する場合に比べて、極めて低コストで対処できることとなる。
【００３７】
また、実施形態のペット用ヒータ１では、コネクタ２０を、本体側・コード側ソケット２１・２４の相互の接続時に、各々の端子２２・２５を防水カバー２３・２６で覆い可能な防水型としており、漏電を招くことなく、電源コード１０を接続させた状態でヒータ本体２を水洗いすることができ、ヒータ本体２が汚れても容易に対処することができる。勿論、ペットが、ヒータ本体２付近で、小便をしたり、飲料水等をこぼしても、漏電することなく、ペット用ヒータ１を安全に使用することができる。
【００３８】
さらに、実施形態のペット用ヒータ１では、コネクタ２０を、ヒータ本体２に取外し可能に取り付けられて剛性を有したコネクタカバー５で覆うように構成しており、ペットがカバー５を咬みついても、カバー５によってコネクタ２０まで歯が通らず、コネクタ２０部位の損傷を防止することができる。
【００３９】
さらにまた、実施形態のペット用ヒータ１では、コネクタ２０の本体側ソケット２１を電源コード１０側に配置させ、コード側ソケット２４をヒータ本体２側に配置させるようにして、コネクタ２０を収納凹部７ｅに収納するとともに、コネクタ２０の収納部位周囲におけるヒータ本体２側の部位である縦壁７ｆの端部７ｇを巻くように、電源コード１０から延びるリード線１２・１３を配置させている。
【００４０】
そのため、電源コード１０を強い力で引っ張っても、収納凹部７ｅに収納されたコネクタ２０が回転せず、リード線１２・１３が縦壁７ｆの端部７ｇと干渉して、不用意に、ソケット２４がソケット２１から抜けることを防止することができる。
【００４１】
なお、実施形態では、コネクタカバー５を上・下カバー６・７の二部品から構成した場合を示したが、上・下カバー６・７の一方をヒータ本体２に一体化するように構成して、１枚でコネクタカバー５を構成しても良い。この場合、コネクタ２０を収納する収納凹部やリード線１２・１３を巻く部位は、コネクタカバー側だけでなく、適宜、ヒータ本体２側に設けても良い。
【００４２】
さらに、コード側ソケット２４の部位まで、コードカバー１５を延設して、結合時のそのコード側ソケット２４がヒータ本体２に収納されるように、本体側ソケット２１をヒータ本体２に埋設させるようにすれば、コネクタカバー５を極力設けないように構成することができる。
【００４３】
さらにまた、水洗い等による濡れを考慮する必要がない場合、例えば、ヒータ本体２が水洗いせずに汚れを拭き取れる材質から形成されたり、あるいは、小便や飲料水等と接触しないペット小屋の天井部位にペット用ヒータを配設させるような場合には、コネクタ２０の防水カバー２３・２４を省いて、コネクタ２０を防水型としなくとも良い。
【図面の簡単な説明】
【図１】本発明の一実施形態のペット用ヒータを示す斜視図である。
【図２】同実施形態のコネクタ部位の部分破断正面図である。
【図３】同実施形態に使用するコネクタカバーの断面図であり、図２の III− III部位を示す。
【図４】同実施形態に使用するコネクタカバーの下カバーを示す正面図である。
【図５】同実施形態に使用する下カバーの底面図である。
【図６】同実施形態に使用するコネクタカバーの上カバーを示す正面図である。
【図７】同実施形態に使用する上カバーの平面図である。
【図８】同実施形態のコネクタの結合時の断面図である。
【図９】同実施形態のコネクタの結合解除時の断面図である。
【符号の説明】
１…ペット用ヒータ、
２…ヒータ本体、
５…コネクタカバー、
７ｅ…収納凹部、
７ｇ…縦壁端部、
１０…電源コード、
１２…リード線、
１３…リード線、
１４…プラグ、
２０…コネクタ、
２１…本体側ソケット、
２２…雌側端子、
２３…防水カバー、
２４…コード側ソケット、
２５…雄側端子、
２６…防水カバー。
【図１】
0003880733.tif 000002
【図２】
0003880733.tif 000003
【図３】
0003880733.tif 000004
【図４】
0003880733.tif 000005
【図５】
0003880733.tif 000006
【図６】
0003880733.tif 000007
【図７】
0003880733.tif 000008
【図８】
0003880733.tif 000009
【図９】
0003880733.tif 000010